(57)【要約】【課題】  地震の際に、建物の倒壊や転倒した家具等から就寝者を保護すると共に、振動を抑制することにより就寝者の安全を守るベッド用シェルターを提供する。【解決手段】  内部にベッド40を収納する空間を形成するフレーム部１と、屋内の天井面20に当接する水平面状上面部２ａを有する当接部材２と、当接部材２を天井面20に対して押圧するための弾発押圧手段３と、を備える。また、当接部材２は、レール部８を有し、弾発押圧手段３は、フレーム部１にスライド可能に外嵌されるスライド外筒体９と、下端部がスライド外筒体９に枢着される２つのアーム部材10, 10と、アーム部材10, 10を相互に連結するスプリング11と、を有し、アーム部材10, 10の上端部の夫々は、レール部８の長手方向にスライド可能になるように、レール部８に連結され、スプリング11は、アーム部材10, 10の上端部を相互に接近する方向に付勢するように構成されている。【選択図】  図１                                                                
2005152022.tif 000002
【特許請求の範囲】
【請求項１】
屋内の床面に載置され、内部にベッド（40）を収納する空間を形成するフレーム部（１）と、  
屋内の天井面（20）に当接する水平面状上面部（２ａ）を有する当接部材（２）と、
該当接部材（２）を該天井面（20）に対して押圧するための弾発押圧手段（３）と、
を備えることを特徴とするベッド用シェルター。
【請求項２】
上記当接部材（２）は、上記水平面状上面部（２ａ）と略平行となるように形成されたレール部（８）を有し、
上記弾発押圧手段（３）は、上記フレーム部（１）に水平方向にスライド可能に外嵌されるスライド外筒体（９）と、下端部（10ａ）が該スライド外筒体（９）に枢着される２つのアーム部材（10, 10）と、該アーム部材（10, 10）を相互に連結するスプリング（11）と、を有し、
該アーム部材（10, 10）の上端部（10ｂ, 10ｂ）の夫々は、上記レール部（８）の長手方向にスライド可能になるように、該レール部（８）に連結され、
上記スプリング（11）は、該アーム部材（10, 10）の上端部（10ｂ, 10ｂ）を相互に接近する方向に付勢するように構成されている請求項１記載のベッド用シェルター。
【請求項３】
上記レール部（８）の断面は、下方に開口部（８ａ）を有する略蟻溝状に形成され、
上記アーム部材（10, 10）の上端部（10ｂ, 10ｂ）は、略Ｔ字状に形成されると共に、該レール部（８）の内部に保持される請求項２記載のベッド用シェルター。
【発明の詳細な説明】
【技術分野】
【０００１】
本発明は、地震時に就寝者を保護するためのベッド用シェルターに関する。
【背景技術】
【０００２】
従来、地震時に、倒壊した家屋の重量から就寝者を保護し、倒壊家屋内に閉じ込められた場合でも、救助されるまでの間、耐久可能なシェルターとして機能するベッド用耐震防御フレームが開示されている（例えば、特許文献１参照）。この特許文献１に開示されたベッド用耐震防御フレームでは、ベッドが載置される矩形状のベッド底面部と、ベッド底面部の四隅に立設された支持部材と、ベッド底面部を覆うように支持部材に固着される天蓋と、を備えている。    
【特許文献１】特開平９−１７３１８２号公報
【発明の開示】
【発明が解決しようとする課題】
【０００３】
しかしながら、上記特許文献１に開示されたベッド用耐震フレームでは、免震用の手段が開示されていない。このため、大きな縦揺れ及び横揺れが家屋に生じた場合には、ベッド用耐震フレームが家屋の床面に対して上下左右に大きく振動するという問題点がある。この場合、ベッド底面部に載置されたベッドもベッド用耐震フレームの振動と共に上下左右に振動する。その結果、この振動が就寝者の地震に対する恐怖を助長していたという問題点があった。
【０００４】
そこで、本発明は、地震の際に、家屋の倒壊や転倒した家具等から就寝者を保護すると共に、振動を抑制することにより就寝者の安全を守るベッド用シェルターを提供することを目的とする。
【課題を解決するための手段】
【０００５】
上記の目的を達成するために、本発明に係るベッド用シェルターは、屋内の床面に載置され、内部にベッドを収納する空間を形成するフレーム部と、屋内の天井面に当接する水平面状上面部を有する当接部材と、該当接部材を該天井面に対して押圧するための弾発押圧手段と、を備える。
【０００６】
また、上記当接部材は、上記天井面の上記水平面状上面部と略平行となるように形成されたレール部を有し、上記弾発押圧手段は、上記フレーム部に水平方向スライド可能に外嵌されるスライド外筒体と、下端部が該スライド外筒体に枢着される２つのアーム部材と、該アーム部材を相互に連結するスプリングと、を有し、該アーム部材の上端部の夫々は、上記レール部の長手方向にスライド可能になるように、該レール部に取り付けられ、上記スプリングは、該アーム部材の上端部を夫々対向する方向に付勢するように構成されている。
【０００７】
また、上記レール部の断面は、下方に開口部を有する略蟻溝状に形成され、上記アーム部材の上端部は、略Ｔ字状に形成されると共に、該レール部の内部に保持される。
【発明の効果】
【０００８】
本発明のベッド用シェルターによれば、地震の際に、家屋の倒壊や転倒した家具等から就寝者を保護すると共に、振動を抑制することが可能になるので、就寝者の安全を守ことができる。
【発明を実施するための最良の形態】
【０００９】
以下、実施の形態を示す図面に基づき、本発明を詳説する。
【００１０】
図１〜図４を参照して、本発明に係るベッド用シェルターの構造について説明する。本発明に係るベッド用シェルターは、図１に示すように、フレーム部１と、２つの当接部材２, ２と、弾発押圧手段３と、を備えている。
【００１１】
フレーム部１は、屋内の床面に載置され、内部に（２点鎖線にて示すように）ベッド40を収納する空間を形成している。このフレーム部１は、外形が略直方体になるように形成され、枠部材４と、補強部材５と、筋交部材６と、床板７と、を備えている。
【００１２】
枠部材４は、略直方体の稜線を形成するように配設されることによりフレーム部１の外形を形成している。この枠部材４は、角パイプ材や丸パイプ材等から成る。
また、補強部材５は、フレーム部１の下面から所定の距離隔てた高さに、略直方体に形成されたフレーム部１の側面を囲むように配設されている。この補強部材５のフレーム部１の下面からの高さ位置は、フレーム部１が強固な構造となるような高さである。しかしながら、フレーム部１の内部に載置されるベッド40にフレーム部１の外部から入る就寝者にとっては、この補強部材５が邪魔になる高さに位置している場合がある。このような場合に対処するため、就寝者がベッド40に入る側の補強部材５の高さは、他の補強部材５より低い高さになるように調節可能とするのが望ましい。
【００１３】
また、筋交部材６は、フレーム部１を補強するためのものであり、平面視矩形状のフレーム部１の対角線上に位置するように、フレーム部１の上面及び下面に配設されている。  また、床板７は、略直方体のフレーム部１の下面側に配設されている。この床板７の上には、ベッド40が載置される。
【００１４】
そして、２つの当接部材２, ２は、帯板状の合板や金属板から成り、平行にフレーム部１の上方に配設されている。つまり、２つの当接部材２, ２は、略直方体に形成されたフレーム部１の上面側を形成する枠部材４のうち、平面視対向する２辺───２本の横桁14, 14───上に位置するように配設されている。また、当接部材２は、図１及び図２に示すように、平面視矩形状の水平面状上面部２ａを有し、この上面部２ａが屋内の天井面20に当接するように構成されている。これら２つの当接部材２, ２は、ベッド用シェルターが床面に対して大きく飛び跳ねて移動しないようにするために設けられている。また、当接部材２は、上面部２ａと略平行となるように形成されたレール部８を有している。このレール部８の断面は、図３に示すように、下方に開口部８ａを有する略蟻溝状に形成されている。
【００１５】
また、弾発押圧手段３は、図１及び図２に示すように、フレーム部１の横桁14と当接部材２との間に配設されている。この弾発押圧手段３は、当接部材２を天井面20に対して押圧すると共に、フレーム部１に加わる振動を抑制する機能を有する。また、弾発押圧手段３は、スライド外筒体９と、２つのアーム部材10, 10と、スプリング11と、を有している。
【００１６】
スライド外筒体９は、断面矩形状であり、フレーム部１の上面側の横桁14に、長手方向（図１中の矢印Ｄ方向）にスライド可能となるように、外嵌されている。また、２つのアーム部材10, 10は、下端部10ａ, 10ａがスライド外筒体９に夫々枢着されている。
【００１７】
また、２本のアーム部材10, 10は上方に幅寸法拡大状として配設され、Ｖ字状又は倒立台形の斜辺状として、設けられる。このアーム部材10, 10の上端部10ｂ, 10ｂの夫々は、レール部８の長手方向（図２中の矢印Ｃ方向及びその逆方向）にスライド可能になるように、レール部８に取り付けられ（連結され）ている。このアーム部材10, 10の上端部10ｂ, 10ｂは、図３及び図４に示すように、略Ｔ字状に形成されていると共に、略蟻溝状のレール部８の内部に保持されている。また、アーム部材10, 10の上端部10ｂ, 10ｂをレール部８の内面に対してスライドさせる際には、上端部10ｂ, 10ｂとレール部８の内面との間に適度な摩擦力をもってスライド（摺動）する。
【００１８】
また、スプリング11は、図２に示すように、２つのアーム部材10, 10を相互に連結している。このスプリング11は、アーム部材10, 10の上端部10ｂ, 10ｂを相互に接近する方向に弾発付勢している。即ち、天井面20に当接した当接部材２と床面に載置されたフレーム部１との間に挟まれたアーム部材10, 10には、それらを起立しようとする力が常に生じるように構成されている。これにより、当接部材２は、所定の押圧力で天井面20に当接するように構成されている。また、スライド外筒体９は、フレーム部１の横桁14の上面を所定の押圧力（反力）で押圧するように構成されている。
【００１９】
上記のように、弾発押圧手段３は、上部側がアーム部材10, 10の上端部10ｂ, 10ｂにより当接部材２のレール部８とスライド可能に連結する一方、下部側がスライド外筒体９により枠部材４の横桁14とスライド可能に連結するように構成される。
【００２０】
次に、図２を参照して、本発明に係るベッド用シェルターの作用について説明する。
【００２１】
地震により、家屋に縦揺れが生じる場合を考える。この場合、屋内の床面に載置されているベッド用シェルターも家屋の縦揺れに伴って上下方向（図２中の矢印Ｅ方向）に振動する。床面に対してベッド用シェルターが飛び跳ねようとした場合、天井面20と、ベッド用シェルターのフレーム部１の横桁14との距離は短くなるのでその分、アーム部材10, 10は、図２中の矢印Ｃ方向に移動する。すると、スプリング11は伸ばされるので、その分、アーム部材10, 10を起立させようとする力が増大する。これにより、当接部材２を天井面20に押圧する力が増大するので、フレーム部１を床面から浮かせようとする力が抑制される。その結果、フレーム部１の内部に載置されるベッド40上では、床面に対する上下方向の振動が抑制される。
【００２２】
また、地震により、家屋に横揺れが生じる場合を考える。この場合、屋内の床面に載置されているフレーム部１も家屋の横揺れに伴って左右方向（図２中の矢印Ｄ方向）に振動する。このとき、床面とフレーム部１の下面との間、スライド外筒体９とフレーム部１の横桁14との間、アーム部材10, 10の上端部10ｂ, 10ｂとレール部８の内面との間には、夫々摩擦力が生じる。これにより、フレーム部１が屋内の床面に対して左右方向（図２中の矢印Ｄ方向）に移動しようとする力が抑制される。その結果、フレーム部１の内部に載置されるベッド40上では、床面に対する左右方向の振動が抑制される。
【００２３】
以上のように、本発明に係るベッド用シェルターは、屋内の床面に載置され、内部にベッド40を収納する空間を形成するフレーム部１と、屋内の天井面20に当接する水平面状上面部２ａを有する当接部材２と、当接部材２を天井面20に対して押圧するための弾発押圧手段３と、を備えるので、地震の際、家屋の倒壊や転倒した家具等から就寝者を保護することができると共に、ベッド用シェルターを床面に対して大きく飛び跳ねて移動しないようにすることができる。これにより、就寝者の安全を守ることができる。
【００２４】
また、当接部材２は、水平面状上面部２ａと略平行となるように形成されたレール部８を有し、弾発押圧手段３は、フレーム部１に水平方向にスライド可能に外嵌されるスライド外筒体９と、下端部10ａがスライド外筒体９に枢着される２つのアーム部材10, 10と、アーム部材10, 10を相互に連結するスプリング11と、を有し、アーム部材10, 10の上端部10ｂ, 10ｂの夫々は、レール部８の長手方向にスライド可能になるように、レール部８に連結され、スプリング11は、アーム部材10, 10の上端部10ｂ, 10ｂを相互に接近する方向に付勢するように構成されているので、フレーム部１に加わる上下左右方向の振動を抑制することができる。これにより、フレーム部１の内部に載置されるベッド40の振動が抑制されるので、地震時に、振動に対する就寝者の恐怖を低減させることができる。
【００２５】
また、レール部８の断面を、下方に開口部８ａを有する略蟻溝状に形成し、アーム部材10, 10の上端部10ｂ, 10ｂは、略Ｔ字状に形成すると共に、レール部８の内部に保持することによって、滑車などの部品の使用等で部品点数を増加させることなく、アーム部材10, 10の上端部10ｂ, 10ｂを、レール部８の内面に対して適度な摩擦力が生じた状態を維持しながら、スライドさせることができる。
【図面の簡単な説明】
【００２６】
【図１】本発明に係るベッド用シェルターの実施の一形態を示す斜視図である。
【図２】当接部材及び弾発押圧手段を示す正面図である。
【図３】図２のＡ−Ａ線拡大断面図である。
【図４】図３のＢ−Ｂ線断面図である。
【符号の説明】
【００２７】
１  フレーム部
２  当接部材
２ａ  上面部
３  弾発押圧手段
８  レール部
８ａ  開口部
９  スライド外筒体
10  アーム部材
10ａ  下端部
10ｂ  上端部
11  スプリング
20  天井面
40  ベッド
【図１】
2005152022.tif 000003
【図２】
2005152022.tif 000004
【図３】
2005152022.tif 000005
【図４】
2005152022.tif 000006